(57)【要約】【課題】セパレータの脱落を防止することができる管部材を提供する。【解決手段】内面１１に管軸方向に沿う一対の嵌合凸条１２，１２を備えるとともに、管部材１を分割する本体部２１と本体部２１の両端に設けられて管部材１の内面１１に沿う一対の支持脚部２２，２２と支持脚部２２，２２に設けられて嵌合凸条１２，１２に摺動可能に嵌合する嵌合溝２３，２３とを有するセパレータ２が設置される管部材１である。  そして、管部材１の内面１１には、支持脚部２２，２２の先端位置２２ａ，２２ａに対応する位置に掛止部１５，１５が設けられる。【選択図】図１
2009213281.tif 000002
【特許請求の範囲】
【請求項１】
内面に管軸方向に沿う一対の嵌合凸条を備えるとともに、
断面を分割する本体部と前記本体部の両端に設けられて前記管部材の内面に沿う一対の支持脚部と前記支持脚部に設けられて前記嵌合凸条に摺動可能に嵌合する嵌合溝とを有するセパレータが設置される管部材であって、
前記管部材の内面には、前記一対の支持脚部の先端位置に対応する位置に一対の掛止部が設けられることを特徴とする管部材。
【請求項２】
前記掛止部は、管軸方向に連続する凸条又は段差として形成されることを特徴とする請求項１に記載の管部材。
【請求項３】
前記掛止部は、前記嵌合凸条の両側の対称な位置に一対ずつ設けられることを特徴とする請求項１又は請求項２に記載の管部材。
【請求項４】
請求項１乃至請求項３のいずれか一項に記載の管部材に前記セパレータが設置されて管部材の断面が分割されることを特徴とする管路構造。
【請求項５】
内面に管軸方向に沿う一対の嵌合凸条を備える管部材に設置され、
断面を分割する本体部と、前記本体部の両端に設けられて前記管部材の内面に沿う一対の支持脚部と、前記支持脚部に設けられて前記嵌合凸条に摺動可能に嵌合する嵌合溝と、を備えるセパレータであって、
前記本体部には、前記本体部の断面形状に合わせた補強部材が管軸方向に間隔をあけて取り付けられることを特徴とするセパレータ。
【請求項６】
請求項５に記載のセパレータが設置されて前記管部材の断面が分割されることを特徴とする管路構造。
【発明の詳細な説明】
【技術分野】
【０００１】
本発明は、管部材と管部材の断面を分割するセパレータと管部材の断面がセパレータによって分割された管路構造とに関するものである。
【背景技術】
【０００２】
従来、電話線などの通信ケーブルは、電話局間を結ぶ幹線ケーブルと幹線ケーブルから分岐されて住宅や店舗に引き込まれる引込ケーブルとによって構成されている。
【０００３】
そして、これらの幹線ケーブルや引込ケーブルは、景観に配慮して道路の路面下に埋設されることが多くなっている。
【０００４】
この場合、複数の幹線ケーブルを１つの保護管に収容し、複数の引込ケーブルを１つの保護管に収容することで、すべてのケーブルをそれぞれ別個の保護管に収容するよりも省スペース化することができる。
【０００５】
したがって、住宅街や商店街に位置するような道幅の狭い道路下にも、ケーブルを埋設することが可能となる。
【０００６】
一方、通信ケーブルの地中化が普及して、より道幅の狭い道路下にケーブルを埋設する必要が生じた場合には、上記した構成よりも更に省スペース化を図る必要がある。
【０００７】
そこで、例えば特許文献１では、管部材の内部に、管軸方向に沿ってセパレータを配置することで、幹線ケーブルと引込ケーブルを分離して収容することが開示されている。
【０００８】
そして、管部材の内面に設けた嵌合凸条にセパレータの支持脚部に設けた嵌合溝を嵌め合わせることで、セパレータの回転を防止している。
【特許文献１】特開２００７−７４８８５号公報
【発明の開示】
【発明が解決しようとする課題】
【０００９】
しかしながら、前記特許文献１では、嵌合凸条に嵌合溝を嵌め合わせているだけであるため、嵌合代が小さい場合やセパレータの剛性が弱い場合に、引込ケーブルの自重やケーブル引き込み時の抵抗で、セパレータが撓んで脱落する可能性があった。
【００１０】
そこで、本発明は、セパレータの脱落を防止することができる管部材と、セパレータと、管部材やセパレータを備える管路構造と、を提供することを目的としている。
【課題を解決するための手段】
【００１１】
前記目的を達成するために、本発明の管部材は、内面に管軸方向に沿う一対の嵌合凸条を備えるとともに、断面を分割する本体部と前記本体部の両端に設けられて前記管部材の内面に沿う一対の支持脚部と前記支持脚部に設けられて前記嵌合凸条に摺動可能に嵌合する嵌合溝とを有するセパレータが設置される管部材であって、前記管部材の内面には、前記一対の支持脚部の先端位置に対応する位置に一対の掛止部が設けられることを特徴とする。
【００１２】
また、前記掛止部は、管軸方向に連続する凸条又は段差として形成される構成とすることができる。
【００１３】
さらに、前記掛止部は、前記嵌合凸条の両側の対称な位置に一対ずつ設けられることが好ましい。
【００１４】
そして、本発明の管路構造は、上記したいずれかの管部材に前記セパレータが設置されて管部材の断面が分割されることを特徴とする。
【００１５】
また、本発明のセパレータは、内面に管軸方向に沿う一対の嵌合凸条を備える管部材に設置され、断面を分割する本体部と、前記本体部の両端に設けられて前記管部材の内面に沿う一対の支持脚部と、前記支持脚部に設けられて前記嵌合凸条に摺動可能に嵌合する嵌合溝と、を備えるセパレータであって、前記本体部には、前記本体部の断面形状に合わせた補強部材が管軸方向に間隔をあけて取り付けられることを特徴とする。
【００１６】
さらに、本発明の管路構造は、上記したセパレータが設置されて前記管部材の断面が分割されることを特徴とする。
【発明の効果】
【００１７】
このように、本発明の管部材は、管部材の内面に、一対の支持脚部の先端位置に対応する位置に一対の掛止部が設けられることで、セパレータが撓んで嵌合溝が嵌合凸条から外れかけても支持脚部の先端が掛止部に掛止するため、セパレータの脱落を防止できる。
【００１８】
また、掛止部は、管軸方向に連続する凸条又は段差として形成されることで、管部材の重量をほとんど増加させることなく掛止部を設けることができる。
【００１９】
さらに、掛止部は、嵌合凸条の両側の対称な位置に一対ずつ設けられることで、管部材を上下いずれの方向に用いても支持脚部の先端を掛止部に掛止させることができる。
【００２０】
つまり、管部材にセパレータを挿入する際に、上方方向を気にする必要がなくなる。
【００２１】
そして、本発明の管路構造は、上記したいずれかの管部材にセパレータが設置されて管部材の断面が分割されることで、セパレータの脱落を防止しつつ管路の断面を分割して管路の省スペース化を図ることができる。
【００２２】
また、本発明のセパレータは、管部材を分割する本体部に、本体部の断面形状に合わせた補強部材が管軸方向に間隔をあけて取り付けられることで、セパレータの撓みが抑制されるため、セパレータの脱落を防止できる。
【００２３】
さらに、本発明の管路構造は、上記したセパレータが設置されて管部材が分割されることで、セパレータの脱落を防止しつつ管路の断面を分割して管路の省スペース化を図ることができる。
【発明を実施するための最良の形態】
【００２４】
以下、本発明の最良の実施の形態について図面を参照して説明する。
【００２５】
まず、図１，２を用いて、本発明のセパレータ２を備える管路構造Ｃの全体構成を説明する。
【００２６】
本発明の管路構造Ｃは、図１，２に示すように、ケーブルを保護するための管部材１と、この管部材１の断面を上下２つに分割するセパレータ２と、セパレータ２によって分割された上部の空間に配設される引込ケーブル４１，・・・と、下部の空間に配設される幹線ケーブル４３，・・・と、を備えている。
【００２７】
このセパレータ２は、樹脂によって形成されるもので、引込ケーブル４１を載置する板状の本体部２１と、本体部２１の管軸直交方向Ｄ２の両端を管路の内周面に沿って下方に折り曲げるように形成される一対の支持脚部２２，２２と、を備えている。
【００２８】
本体部２１は、管軸方向Ｄ１に沿う長尺の略矩形板状に形成されるもので、上部空間に挿通される引込ケーブル４１，・・・が重力の作用によって中央近傍に寄るように、管軸直交方向Ｄ２の中央近傍の平面部分２１ａと、この平面部分２１ａから斜め上方に傾斜する傾斜部分２１ｂ，２１ｂと、を備えている。
【００２９】
さらに、支持脚部２２は、樹脂によって本体部２１と一体の湾曲した板状に形成されて、本体部２１の管軸直交方向Ｄ２の両端から下方に延びて管部材１の内周面に沿わせるようにしてセパレータ２を支持している。
【００３０】
また、この支持脚部２２の本体部２１に接続する上端近傍には、管軸方向Ｄ１に沿って連続した嵌合溝２３が設けられており、管部材１の内周面に設けられる嵌合凸条１２に嵌め合わされて摺動できるようになっている。
【００３１】
加えて、支持脚部２２の外面２２ｂは、セパレータ２を管部材１に挿入する際の摩擦抵抗が少なくなるように、管部材１の内面１１との間に微小な隙間を設けて形成されている。
【００３２】
また、幹線ケーブル４３は、銅線を束ねた太径のケーブルであり、ひと回り径の大きい円筒状のさや管４２に１本ずつ収容されて、セパレータ２によって区分された管部材１の下部空間に配設されている。
【００３３】
さらに、引込ケーブル４１は、図示しないハンドホール内で幹線ケーブル４３から分岐される細径のケーブルであり、管部材１の上部空間に配設されており、管部材１の所定位置に突設された分岐管から引き出されて住宅や店舗に引き込まれる。
【００３４】
そして、本実施の形態の管部材１は、樹脂によって長尺の円筒状に形成されるもので、セパレータ２の嵌合溝２３，２３が摺動可能に嵌合する嵌合凸条１２，１２と、この嵌合凸条１２，１２を挟むように形成される薄肉部１４，１４，１４，１４と、を備えている。
【００３５】
この嵌合凸条１２は、断面台形状の突条として管軸方向Ｄ１に連続して形成されるもので、管部材１の内面１１において直径方向に対峙する位置に一対設けられている。
【００３６】
また、薄肉部１４は、強度上必要な通常の管部材１の肉厚を有しおり、通常より厚く形成される厚肉部１３に設けられた浅い溝状に形成されるもので、嵌合凸条１２の両側に対称に設けられる。
【００３７】
したがって、この薄肉部１４と厚肉部１３との間には、掛止部としての段差１５が形成されている。
【００３８】
さらに、この薄肉部１４と厚肉部１３との肉厚差に相当する段差１５の高さは、セパレータ２の脱落を防止できるように、少なくとも支持脚部２２の部材厚を有するように形成される。
【００３９】
そして、管部材１の内部にセパレータ２が設置された状態では、支持脚部２２の嵌合溝２３は嵌合凸条１２に嵌め合わされ、支持脚部２２は外面２２ｂを薄肉部１４の内面と面を合わせるようにして薄い溝状の薄肉部１４の内側に嵌め合わされる。
【００４０】
さらに、この掛止部としての段差１５は、セパレータ２を挿入する際の抵抗を少なくするために、支持脚部２２の先端２２ａから微小な隙間をあけて形成されている。
【００４１】
すなわち、この薄肉部１４の円周方向の長さは、セパレータ２の支持脚部２２の長さよりも若干長く形成されることで、支持脚部２２の先端２２ａと段差１５の側面との間に微小な隙間が設けられて、端面どうしが接触しないようにされている。
【００４２】
次に、本実施の形態の管路構造Ｃの作用について説明する。
【００４３】
このように、本実施の形態の管部材１は、セパレータ２の支持脚部２２の外面２２ｂが接する内面１１の近傍において、この支持脚部２２の先端２２ａ位置に対応する位置に掛止部としての段差１５が設けられることで、セパレータ２が撓んでも支持脚部２２の先端２２ａが段差１５に掛止するため、セパレータ２の脱落を防止できる。
【００４４】
すなわち、従来、セパレータ２に多くの引込ケーブル４１，・・・が載置されたり、挿入される際に摩擦力が生じて下方向に荷重が作用したりすると、セパレータ２の嵌合溝２３，２３が管部材１の嵌合凸条１２，１２から外れて、セパレータ２が脱落する可能性がある。
【００４５】
そして、脱落を防止するためにセパレータ２の寸法を大きくすると、管部材１の内面１１との間の摩擦が大きくなってセパレータ２の挿入性が悪くなり、挿入性を向上するためにセパレータ２の寸法を小さくすると、脱落しやすくなる。
【００４６】
そこで、本実施の形態では、挿入性を確保するためにセパレータ２の寸法は大きくしない一方で、管部材１の内面１１に段差１５を設けて支持脚部２２の先端２２ａを掛止させている。
【００４７】
そうすると、荷重によってセパレータ２が撓んで嵌合溝２３，２３が管部材１の嵌合凸条１２，１２から外れる程度に変形しても、支持脚部２２，２２の先端２２ａ，２２ａは必ず段差１５，１５に掛止されるため、セパレータ２の脱落を防止できる。
【００４８】
つまり、セパレータ２が管軸直交方向Ｄ２の断面内で撓むと、本体部２１の管軸直交方向Ｄ２の中央は下方に変位し、この本体部２１の管軸直交方向Ｄ２の両端に一体に繋がっている支持脚部２２，２２の先端２２ａ，２２ａは、外側に開くように変形することになる。
【００４９】
したがって、セパレータ２が撓み変形しても、この支持脚部２２，２２が段差１５，１５を越えることはなく、セパレータ２が脱落することもない。
【００５０】
このように、本実施の形態の管部材１は、セパレータ２を挿入する際の抵抗抑制とセパレータ２の脱落防止という、相反する両方の機能を実現することができる。
【００５１】
さらに、掛止部としての段差１５は、嵌合凸条１２，１２の両側の対称な位置に一対ずつ総数で４箇所設けられることで、管部材１を上下いずれの方向に用いても支持脚部２２，２２の先端２２ａ，２２ａを段差１５，１５に掛止させることができる。
【００５２】
また、本実施の形態の管路構造Ｃは、上記したような管部材１にセパレータ２が設置され、掛止部としての段差１５，１５に支持脚部２２，２２の先端２２ａ，２２ａが掛止されることで、セパレータ２の脱落を防止しつつ管路の断面を分割して管路の省スペース化を図ることができる。
【００５３】
そして、このようにセパレータ２の脱落を防止することができれば、セパレータ２の上部空間に従来よりもより多くの引込ケーブル４１を配設することができるうえに、上部空間に一部の幹線ケーブル４３を配設することも可能となる。
【実施例１】
【００５４】
以下、図３を用いて、前記実施の形態とは別の形態の管部材１Ａを備える管路構造Ｃ１について説明する。
【００５５】
なお、前記実施の形態で説明した内容と同一乃至均等な部分の説明については同一符号を付して説明する。
【００５６】
まず、構成から説明すると、図３に示すように、本実施例の管路構造Ｃ１は、管部材１Ａと、セパレータ２、引込ケーブル４１，・・・、幹線ケーブル４３，・・・、などを備えている。
【００５７】
そして、本実施例の管部材１Ａは、樹脂によって長尺の円筒状に形成されるもので、嵌合凸条１２，１２と、この嵌合凸条１２，１２を挟むように形成される凸条１６，１６，１６，１６と、を備えている。
【００５８】
この凸条１６は、断面半円状の小突条として管軸方向Ｄ１（図２参照）に連続して形成されるもので、嵌合凸条１２の両側に対称に設けられる。
【００５９】
そして、管部材１Ａの内部にセパレータ２が設置された状態では、支持脚部２２の嵌合溝２３は嵌合凸条１２に嵌め合わされ、支持脚部２２は外面２２ｂを管部材１の内面１１と面を合わせるようにして嵌合凸条１２と凸条１６との間に嵌め合わされる。
【００６０】
さらに、この掛止部としての凸条１６は、セパレータ２を挿入する際の抵抗を少なくするために、支持脚部２２の先端２２ａから微小な隙間をあけて形成されている。
【００６１】
次に作用について説明する。
【００６２】
このように、本実施例では、掛止部が管軸方向Ｄ１に連続する凸条１６，１６として形成される。
【００６３】
したがって、本実施例の管部材１Ａは、セパレータ２を挿入する際の抵抗抑制とセパレータ２の脱落防止という、相反する両方の機能を実現することができる。
【００６４】
さらに、本実施例の管部材１Ａは、重量をほとんど増加させることなく掛止部としての凸条１６，１６を設けることができる。
【００６５】
つまり、前記実施の形態のように、厚肉部１３と薄肉部１４とを設けることで掛止部としての段差１５を形成すると、厚肉部１３の肉厚増加分に相当する分の重量が増加することになるが、凸条１６であれば重量の増加を最小限に抑制できる。
【００６６】
また、掛止部が凸条１６，１６として形成されれば、管部材１Ａの内空断面積をほとんど減少させることがないため、引込ケーブル４１，・・・や幹線ケーブル４３，・・・の収容空間を確保できる。
【００６７】
そして、本実施例の管路構造Ｃ１は、上記した管部材１Ａにセパレータ２が設置され、掛止部としての凸条１６，１６に支持脚部２２，２２の先端２２ａ，２２ａが掛止されることで、セパレータ２の脱落を防止しつつ管路の断面を分割して管路の省スペース化を図ることができる。
【００６８】
なお、この他の構成および作用効果については、前記実施の形態と略同様であるため説明を省略する。
【実施例２】
【００６９】
以下、図４，５を用いて、前記実施の形態及び実施例１とは異なり、セパレータ２に補強部材としての補強板３が取り付けられる管路構造Ｃ２について説明する。
【００７０】
なお、前記実施の形態で説明した内容と同一乃至均等な部分の説明については同一符号を付して説明する。
【００７１】
まず、構成から説明すると、図４に示すように、本実施例の管路構造Ｃ２は、管部材１Ｂと、セパレータ２、引込ケーブル４１，・・・、幹線ケーブル４３，・・・、などを備えている。
【００７２】
そして、本実施例のセパレータ２には、設置された状態で下面となる本体部２１の支持脚部２２，２２を設けた側の面に、補強部材としての補強板３が取り付けられている。
【００７３】
この補強板３は、図５に示すように、ステンレスを代表とする金属などの剛性の大きい材料によって、屈曲された矩形板状に形成されるもので、セパレータ２の本体部２１の形状に合わせて、中央の平面部３１と両端から斜め上方に延びる傾斜部３２，３２とを備えている。なお、この補強板３の材質は、ＦＲＰであってもよい。
【００７４】
さらに、この平面部３１の略中央には、リベット３４を打ち込むためのリベット孔３３が設けられ、傾斜部３２，３２の端部近傍にもリベット孔３３，３３が設けられている。
【００７５】
したがって、設置された状態では、平面部３１はセパレータ２の本体部２１の平面部２１ａに合わされ、傾斜部３２，３２はセパレータ２の本体部２１の傾斜部２１ｂ，２１ｂに合わされて、リベット３４，３４，３４で固定されている。
【００７６】
なお、補強板３のセパレータ２への取付は、接着でもよいし、セパレータ２の傾斜部２１ｂと嵌合溝２３との間の隙間２４に嵌め込んで固定しても構わない。後者の場合、セパレータ２の剛性を向上させるとともに、より一層セパレータ２の脱落を防止できる。
【００７７】
加えて、この補強部材としての補強板３は、１つのセパレータ２の管軸方向Ｄ１に数メートル程度の所定の間隔（具体的には、１〜５ｍ程度）をあけて複数取り付けられている。
【００７８】
次に作用について説明する。
【００７９】
このように、本実施例のセパレータ２は、管部材１Ｂを分割する本体部２１に、本体部２１の断面形状に合わせた補強部材としての補強板３が管軸方向Ｄ１に間隔をあけて取り付けられることで、セパレータ２の撓みが抑制されるため、セパレータ２の脱落を防止できる。
【００８０】
そして、セパレータ２を挿入する際の抵抗抑制とセパレータ２の脱落防止という、相反する両方の機能を実現することができる。
【００８１】
すなわち、セパレータ２の脱落を防止するためにセパレータ２の寸法を大きくすると、管部材１Ｂの内面１１との間の摩擦が大きくなってセパレータ２の挿入性が悪くなり、挿入性を向上するためにセパレータ２の寸法を小さくすると、脱落しやすくなる。
【００８２】
そこで、本実施例では、挿入性を確保するためにセパレータ２の寸法は大きくせずに、セパレータ２に補強板３を取り付けて剛性を大きくして、セパレータ２の撓み変形を抑制している。
【００８３】
このように、セパレータ２の撓み変形を抑制して、セパレータ２の本体部２１の中央近傍が下方へ変位することを防止できれば、支持脚部２２，２２の上端近傍が内側へ変位することがなくなるため、嵌合溝２３，２３が嵌合凸条１２，１２から外れることもなくなる。
【００８４】
また、本実施例の補強板３は、セパレータ２に対して管軸方向Ｄ１に連続して取り付けられるものではなく、所定間隔をおいて間欠的に取り付けられるものであるため、セパレータ２全体が管軸の周りにねじれるような変形に対応することができる。
【００８５】
加えて、補強板３は、板状に形成されるものであるため、下部空間の断面積をほとんど減少させることがない。
【００８６】
さらに、剛性の大きい補強板３を取り付けることで、セパレータ２自体は剛性が小さく変形性能を有する樹脂によって形成することができるため、セパレータ２全体を軽量化できるうえに製造コストを抑制できる。
【００８７】
そして、本実施例の管路構造Ｃ２は、補強板３によって補強されたセパレータ２が設置されて管部材１Ｂが分割されることで、セパレータ２の脱落を防止しつつ管路の断面を分割して管路の省スペース化を図ることができる。
【００８８】
なお、この他の構成および作用効果については、前記実施の形態と略同様であるため説明を省略する。
【００８９】
以上、図面を参照して、本発明の最良の実施の形態及び実施例１，２を詳述してきたが、具体的な構成は、この実施の形態又は実施例１，２に限らず、本発明の要旨を逸脱しない程度の設計的変更は、本発明に含まれる。
【００９０】
例えば、前記実施の形態及び実施例１，２では、掛止部としての段差１５や凸条１６が嵌合凸条１２に対称に設けられる場合について説明したが、これに限定されるものではなく、掛止部は嵌合凸条１２の片側のみに設けられるものであってもよい。
【００９１】
また、前記実施例２では、補強部材としての補強板３をセパレータ２の下面に取り付ける場合について説明したが、これに限定されるものではなく、引込ケーブル挿入時に支障がなければセパレータ２の上面に取り付けるものであってもよい。
【００９２】
さらに、前記実施の形態及び実施例１では、掛止部は管軸方向Ｄ１に連続して設けられる場合について説明したが、これに限定されるものではなく、所定の間隔をおいて設けられるものであってもよいし、管部材の端部近傍のみに設けられるものであってもよい。
【００９３】
そして、前記実施の形態及び実施例１，２では、直線部用のセパレータへの適用例を例示したが、これに限定されるものではなく、曲線部用のセパレータ（例えば特開２００７−２３６１１７号公報）に応用することもできる。
【図面の簡単な説明】
【００９４】
【図１】本発明の最良の実施の形態の管路構造の構成を説明する断面図である。
【図２】本発明の最良の実施の形態の管路構造の構成を説明する斜視図である。
【図３】実施例１の管路構造の構成を説明する断面図である。
【図４】実施例２の管路構造の構成を説明する断面図である。
【図５】実施例２の管路構造の構成を説明する説明図である。（ａ）は補強部材の取付位置を説明する底面図であり、（ｂ）は補強部材の斜視図である。
【符号の説明】
【００９５】
Ｃ，Ｃ１，Ｃ２  管路構造
Ｄ１        管軸方向
Ｄ２        管軸直交方向
１，１Ａ，１Ｂ  管部材
１１        内面
１２        嵌合凸条
１５        段差（掛止部）
１６        凸条（掛止部）
２          セパレータ
２１        本体部
２２        支持脚部
２２ａ      先端
２３        嵌合溝
３          補強板（補強部材）
【図１】
2009213281.tif 000003
【図２】
2009213281.tif 000004
【図３】
2009213281.tif 000005
【図４】
2009213281.tif 000006
【図５】
2009213281.tif 000007